(57)【要約】  特に３Ｄ集積のために、限定された空間に半導体部品（９）を集積する方法であって、  キャリア基板（１０）及び／又は再配線層（ＲＤＬ）（１３）に対して位置決めした後、注封材料（１２）を導入することにより、半導体部品（９）を、それらの相対位置で保護及び固定する集積方法において、  注封材料（１２）を導入する前に、隔壁（３）で分離された多数の切り欠き（２）を有し、半導体部品（９）を受け入れる役割を果たすガラス基板（１）は、半導体部品（９）が、ガラス基板（１）のそれぞれの隔壁（３）の半導体部品に面する側壁面（８）によって囲まれるように配置されることを特徴とする。
2021502706.tif 000002
【特許請求の範囲】
【請求項１】
特に３Ｄ集積のために、限定された空間に半導体ウェハ、特に半導体部品（９）を集積する方法であって、
キャリア基板（１０）及び／又は再配線層（ＲＤＬ）（１３）に対して位置決めした後、注封材料（１２）を導入することにより、少なくとも１つの半導体ウェハ、特に少なくとも１つの半導体部品（９）を、それらの相対位置で保護及び固定する集積方法において、
前記注封材料（１２）を導入する前に、隔壁（３）で分離された多数の切り欠き（２）を有し、それぞれ少なくとも１つの半導体ウェハ、特に半導体部品（９）を受け入れる役割を果たすガラス基板（１）は、前記少なくとも１つの半導体ウェハ、特に半導体部品（９）が、前記ガラス基板（１）のそれぞれの前記隔壁（３）の、前記半導体ウェハに面する側壁面（８）によって囲まれるように配置されることを特徴とする集積方法。
【請求項２】
前記複数の切り欠き（２）は、貫通穴又は止まり穴として具体化されることを特徴とする請求項１に記載の方法。
【請求項３】
前記ガラス基板（１）に貫通穴（４）が導入され、少なくとも個々の前記貫通穴には、前記複数の切り欠き（２）内に前記半導体部品（９）を相対位置で固定する前に、スルーメッキのためのメタライゼーション（５）が施されていることを特徴とする請求項１又は２に記載の方法。
【請求項４】
前記半導体部品（９）は、前記注封材料（１２）を導入する前に、それぞれの前記切り欠き（２）に固定されていることを特徴とする請求項１乃至３のいずれか一項に記載の方法。
【請求項５】
前記半導体部品（９）は、少なくとも１つの側壁面（８）との接触により固定されることを特徴とする請求項４に記載の方法。
【請求項６】
それぞれの前記側壁面（８）において、１つ以上の突起（１６）及び／又はばね要素（１９）が、前記半導体部品（９）を固定するために使用されることを特徴とする請求項５に記載の方法。
【請求項７】
複数の凹部（１７）が、特に前記ガラス基板（１）の前記切り欠き（２）の角領域に導入されることを特徴とする請求項１乃至６のいずれか一項に記載の方法。
【請求項８】
透明又は透過性のポリマーが、前記注封材料（１２）として使用されることを特徴とする請求項１乃至７のいずれか一項に記載の方法。
【請求項９】
特に３Ｄ集積のために、限定された空間に半導体ウェハ、特に半導体部品を集積する、特に請求項１乃至８のいずれか一項に記載の方法であって、ファンアウトパッケージを製造するため、
−接着層（１１）を介して固定された少なくとも１つの半導体ウェハ、特に半導体部品（９）を有するキャリア基板（１０）を用意する工程と、
−少なくとも１つの切り欠き（２）を有するガラス基板（１）を用意する工程と、
−前記少なくとも１つの半導体ウェハ、特に半導体部品（９）が、前記少なくとも１つの切り欠き（２）内に配置されるように、前記ガラス基板（１）を前記キャリア基板（１０）の前記接着層（１１）に位置決めする工程と、
−注封材料（１２）を用いて、前記少なくとも１つの半導体ウェハ、特に半導体部品（９）を前記少なくとも１つの切り欠き（２）に埋め込む工程と、
−キャリア基板（１０）及び接着フィルム（１１）を、半導体ウェハ（９）、ガラス基板（１）、及び注封材料（１２）を含む残りのパッケージから取り除く工程と、
を備えることを特徴とする方法。
【請求項１０】
再配線層（１３）及びその上の接触要素、特にはんだボール（１４）は、前記少なくとも１つの半導体ウェハ、特に半導体部品（９）と電気的に接触した状態で前記パッケージに設けられることを特徴とする請求項９に記載の方法。
【請求項１１】
請求項１乃至１０のいずれか一項に記載の方法で使用するためのガラス基板（１）を含む装置であって、
前記ガラス基板（１）の材料厚（Ｄ）は、５００μｍ未満であり、好ましくは３００μｍ未満であり、又は１００μｍ未満であることを特徴とする装置。
【請求項１２】
請求項１乃至１０のいずれか一項に記載の方法により好ましくは製造される製造中間製品としての集積半導体ウェハ装置、特に集積半導体部品配置において、
−キャリア基板（１０）と、
−その上に配置された接着フィルム（１１）と、
−前記接着フィルム（１１）上に固定された少なくとも１つの半導体ウェハ、特に半導体部品（９）と、
−前記接着フィルム（１１）に固定され、間に隔壁（３）を形成する複数の切り欠き（２）を有するガラス基板（１）であって、各々の前記切り欠き（２）に１つ以上の半導体ウェハ、特に半導体部品（９）が注封材料（１２）で埋め込まれているガラス基板（１）と、を特徴とする集積半導体ウェハ装置。
【請求項１３】
請求項１乃至１０のいずれか一項に記載の方法により好ましくは製造されるファンアウトパッケージ形態の最終製品としての集積半導体ウェハ装置、特に集積半導体部品配置において、
−間に隔壁（３）を形成する複数の切り欠き（２）を有し、各々の前記切り欠き（２）に１つ以上の半導体ウェハ、特に半導体部品（９）が注封材料（１２）で埋め込まれているガラス基板（１）と、
−前記１つ以上の半導体ウェハ、特に半導体部品（９）と電気的に接触している再配線層（１３）と、
−前記再配線層（１３）上の接触要素、特にはんだボール（１４）と、
を特徴とする集積半導体ウェハ装置。
【請求項１４】
前記隔壁（３）の壁厚（ｂ）は、５００μｍ未満であり、好ましくは３００μｍ、２００μｍ、１００μｍ、又は５０μｍ未満であることを特徴とする請求項１１乃至１３のいずれか一項に記載の装置。
【請求項１５】
前記隔壁（３）の壁厚（ｂ）は、前記ガラス基板（１）の材料厚（Ｄ）よりも小さいことを特徴とする請求項１１乃至１４のいずれか一項に記載の装置。
【請求項１６】
前記ガラス基板（１）の２つの切り欠き（２）間の前記隔壁（３）の最大残存壁厚（ｂ）と前記基板の材料厚（Ｄ）の比率（ｂ／Ｄ）が、１：１、２：３、１：３又は１：６未満であることを特徴とする請求項１１又は１２に記載の装置。
【請求項１７】
隔壁（３）の側壁面（８）と、半導体ウェハとの間の距離、特に半導体部品（９）との間の距離は、３０μｍ、２０μｍ、１０μｍ又は５μｍ未満であることを特徴とする請求項１１乃至１６のいずれか一項に記載の装置。
【請求項１８】
特に前記側壁面（８）の突起（１６）の領域において、
隔壁（３）の側壁面（８）と、半導体ウェハとの間の距離、特に半導体部品（９）との間の距離は、ゼロであることを特徴とする請求項１１乃至１６のいずれか一項に記載の装置。
【請求項１９】
前記切り欠き（２）間の前記隔壁（３）の前記側壁面（８）は、前記ガラス基板（１）の表面法線（Ｆ）に対して０°から１０°の間、特に＜８°又は＜５°のフランク角（ａ）を有することを特徴とする請求項１１乃至１８のいずれか一項に記載の装置。
【請求項２０】
前記隔壁（３）の２つの対向する前記側壁面（８）は、特に前記半導体部品（９）をそれぞれの前記切り欠き（２）に固定する突起（１６）を形成するために、Ｖ字形及び／又は砂時計形のコースを形成することを特徴とする請求項１１乃至１９のいずれか一項に記載の装置。
【請求項２１】
前記ガラス基板（１）は、少なくとも実質的に無アルカリガラス、特にアルミノホウケイ酸ガラス又はホウケイ酸ガラスからなることを特徴とする請求項１１乃至２０のいずれか一項に記載の装置。
【請求項２２】
前記半導体部品（９）を固定するための、１つ以上の止め部（１８）、突起（１６）及び／又はばね要素（１９）が、それぞれの前記側壁面（８）に配置されることを特徴とする請求項１１乃至２１のいずれか一項に記載の装置。
【請求項２３】
前記ガラス基板（１）の、特に前記切り欠き（２）の角領域に、複数の凹部（１７）が導入されることを特徴とする請求項１１乃至２２のいずれか一項に記載の装置。
【発明の詳細な説明】
【技術分野】
【０００１】
本発明は、特に３Ｄ集積のために、限定された空間に半導体ウェハを集積する方法に関し、基板及び／又は再配線層（ＲＤＬ）に対して位置決めした後、注封材料を導入することにより、半導体ウェハをそれらの相対位置で保護及び固定する。さらに、本発明は、この方法で使用するための装置に関し、そして製造中間製品として、及び最終製品としての対応する集積半導体ウェハ装置に関する。
【背景技術】
【０００２】
半導体産業は、さまざまな電子部品の集積密度の継続的な改善により、急速な成長を遂げている。ほとんどの場合、この集積密度の改善は、最小図形寸法を繰り返し削減することで実現され、より多くの部品を特定の領域に集積できる。
【０００３】
近年、小型化、高速化、及び広帯域化、そして低消費電力化の要求が高まっているため、これにより、ダイとも呼ばれる、パッケージ化されていない半導体ウェハの、より小さくより創造的なパッケージング技術の必要性が生じている。
【０００４】
集積を進める過程で、以前は個別の半導体ウェハとして回路基板上に互いに隣り合って取り付けられていたアセンブリが、１つの「より大きな」半導体ウェハに結合されている。ここで、「より大きな」とは、製造工程の微細化が進む結果として絶対寸法が減少する可能性があるため、ダイ上の回路の数を意味すると解釈される。
【０００５】
スタック型半導体装置では、ロジック、メモリ、プロセッサ回路などのアクティブ回路が少なくとも部分的に別々の基板上に作成され、機能装置を形成するために物理的及び電気的に互いに接合される。このような接合工程は高度に開発された技術を使用しており、改善が望まれている。
【０００６】
たとえば、ＣＰＵと半導体ウェハ上のキャッシュといった、２つの相互補完的なアセンブリの組み合わせは、「オンダイ（ｏｎ−ｄｉｅ）」という用語で説明される。そのＣＰＵは「オンダイ」キャッシュ（すなわち、同じ半導体ウェハ上に直にある）を有しており、それがデータ交換を大幅に高速化する。構成及び接続技術（ＣＣＴ）は、半導体ウェハのパッケージングのさらなる処理と回路環境への集積に関係している。
【０００７】
多くの集積回路は通常、単一の半導体ウェハ上に製造され、そのウェハ上の個々の半導体ウェハは、スクライブラインに沿って切断される集積回路によって個別化（単体化）される。個々の半導体ウェハは、通常、例えばマルチ半導体ウェハモジュール又は他のタイプのパッケージ（パッケージング）に個別に封入される。
【０００８】
ウェハレベルパッケージ（ＷＬＰ）構造は、電気製品の半導体部品のパッケージ構造として使用される。電気入出力（Ｉ／Ｏ）接点数の増加と高性能集積回路（ＩＣｓ）の需要の増加は、ファンアウトタイプのＷＬＰ構造の開発につながり、電気Ｉ／Ｏ接点の中心間距離がさらに広がることになる。
【０００９】
これは、１つ以上の電気的再配線層（ＲＤＬｓ）を備える電気的再分配構造の使用を含む。各ＲＤＬは、構造化された金属層として設計でき、カプセルに埋め込まれた電子部品を半導体部品パッケージの外部接続、及び／又は半導体部品パッケージの下側に配置された半導体ウェハの１つ以上の電極に接続するために設計された電気的相互接続として機能する。
【００１０】
特許文献１は、半導体ウェハが注封材料に埋め込まれている半導体パッケージを開示している。再配線層には、半導体ウェハパッケージの表面実装用のはんだボールが設けられている。半導体パッケージを通る貫通接点は、半導体パッケージの表面にはんだ材料が設けられており、これにより、第２半導体パッケージを第１半導体パッケージにスタックできる。
【００１１】
特許文献２は、表面実装用の半導体ウェハパッケージを開示している。主表面に接点が設けられており、別の半導体ウェハパッケージをその接点に取り付けることができる。
【００１２】
特許文献３は、ロジック部及びパワー部を含む電子モジュールを開示している。ロジック部とパワー部が上下に並べた基板上に配置され、ポッティング（注封）して一体化されている。
【００１３】
さらに、特許文献４及び特許文献５は、ＴＳＭＣの３Ｄ半導体ウェハ集積について説明している。半導体ウェハは合成樹脂に注封され、スルーメッキは、貫通シリコンビア又は金属ウェブが注封材料に埋め込まれるように実装される。
【００１４】
さらに、特許文献６は複雑な３Ｄ集積に関連し、特許文献７は「集積ファンアウトパッケージング」に関連している。
【先行技術文献】
【特許文献】
【００１５】
【特許文献１】ＤＥ  １０  ２００７  ０２２  ９５９  Ａ１
【特許文献２】ＵＳ  ６  ７１６  ６７０  Ｂ１
【特許文献３】ＤＥ  １０  ２００６  ０３３  １７５  Ａ１
【特許文献４】ＵＳ  ２０１４／００９１４７３  Ａ１
【特許文献５】ＵＳ  ２０１５／００６９６２３  Ａ１
【特許文献６】ＵＳ  ２０１５／０３０３１７４  Ａ１
【特許文献７】ＵＳ  ２０１７／０２０７２０４  Ａ１
【発明の概要】
【発明が解決しようとする課題】
【００１６】
注封材料の導入は、半導体ウェハの相互間の相対的な変位をもたらし、また、半導体ウェハの所与の設定位置に対する相対的な変位をもたらし得る。さらに、固化による注封材料の収縮のために応力が発生し、その応力により不均一な変形が発生する可能性がある。さらに、基板上の半導体ウェハは、流入する注封材料の動的な力のためにドリフトする。裏面メタライゼーションの処理が反りの問題を引き起こす可能性があることも既に知られている。
【００１７】
本発明は、それらに伴う不利な影響を回避する可能性を提供する目的に基づいている。
【課題を解決するための手段】
【００１８】
この目的は、本発明によれば、請求項１の特徴による方法によって達成される。方法技術の観点から、本発明のさらなる構成は、さらなる請求項２乃至７から得ることができる。
【００１９】
したがって、本発明は、注封材料を導入する前に、壁面（より適切に「隔壁」と表現される）で分離された多数の切り欠きを有し、１つ以上の半導体ウェハを受け入れる、ガラスで構成される基板が、少なくとも個々の半導体ウェハがガラス基板の隔壁によって互いに分離されるように、半導体ウェハに対して位置決め又は固定されるという方法を提供する。言い換えると、１つ以上の半導体ウェハがそれぞれの切り欠きに配置され、他の半導体ウェハからいわば分離して配置されることにより、それらは、注封材料の導入による望ましくない影響から最適に保護される。そのガラス基板が、基板の、又は半導体ウェハを載せるプラスチック基板の範囲の、主平面に平行な半導体ウェハの変位を実施形態に応じて、１００μｍ未満、及び１０μｍ未満に制限することが実験で既に分かっている。この目的のために、ガラス基板は、半導体ウェハに適合した切り欠きを有するマスクを形成し、それら切り欠きは、好ましくは、既に貫通穴（ガラス貫通穴：ＴＧＶ）を備え、スルーメッキを可能にする。
【００２０】
本発明によれば、ガラス基板は、注封材料の量が大幅に減少したため、半導体ウェハの望ましくない変位、及びキャリア基板の変形を防ぐ。さらに、膨張、特に熱膨張又は湿気変化による膨張も回避される。この場合、ガラス基板の弾性係数の増加はまた、製造プロセスとデバイス特性にプラスの影響を与える。さらに、ガラス基板を使用すると、ＲＦ特性が向上し、無線周波数技術において様々な実用的なアプリケーションとなる。
【００２１】
ガラス基板が非線形自己集束によるレーザー照射によって処理され、その後、適切なエッチング速度及び持続時間でエッチングすることによって異方性材料除去されるという事実により、初めて、隔壁の実質的に平らな側壁面が、基板の切り欠きの境界面として生成される。その結果、半導体ウェハは、側壁面から、それ故隣接する半導体ウェハからも非常に短い距離で配置できる。
【００２２】
ガラス基板の側壁面を形成する切り欠きの製造方法では、ＬＩＤＥという名称で知られるようになったレーザー誘起ディープエッチングが使用される。この場合、ＬＩＤＥ法は、非常に正確な穴（ガラス貫通穴＝ＴＧＶ）及び構造を非常に高速で導入できるため、ガラス基板の製造に必要な要件を提供する。
【００２３】
原則として、半導体ウェハがキャリア層又は再配線層（ＲＤＬ）のいずれかに配置された後、ガラス基板はそれら層に接続されており、切り欠きの間の隔壁は、半導体ウェハをいずれの場合もすべての側面で囲んでいると想定される。さらに、キャリア層又は他の層とは無関係に、半導体ウェハをガラス基板に固定することも考えられ、その結果、半導体ウェハとガラス基板は、さらなる製造プロセスに使用できる構造ユニットを形成する。
【００２４】
その結果として、ガラス基板の切り欠き内に半導体ウェハを注封する方法も実現できる。この目的のために、基板を任意に省略できるように、半導体ウェハをガラス基板に取り付けることができる。
【００２５】
さらに、本発明による課題はまた、キャビティとも呼ばれ、半導体ウェハを小さなギャップで、又は隣接する方法で囲む多数の切り欠きを備えたガラス基板によっても達成される。ここで、それら切り欠きは、ほぼ平面のコースを有する側壁面によって境界が定められ、すなわち、特に、ガラス基板の表面間で明確に幅が減少しておらず、又は切り欠きに凸状に延びる壁面領域がない。
【００２６】
この場合、壁面はＶ字形のコース、すなわち、切り欠きの連続的に増加する明確な幅を有することができる。ここで、その勾配は、転換点なしで一定として具体化できることが好ましい。
【００２７】
透明、半透明又は透過性の注封材料（例えばポリマー）が使用されるという事実により、本発明によれば、異なる半導体ウェハ間の光学的接続を実現することも可能である。
【００２８】
請求項６に記載の本発明による方法の特定の一実施形態は、以下の方法の工程：
−接着層を介して固定された少なくとも１つの半導体ウェハ、特に半導体部品を有するキャリア基板を供給する工程、
−少なくとも１つの切り欠きを有するガラス基板を供給する工程、
−少なくとも１つの半導体ウェハ、特に半導体部品が少なくとも１つの切り欠き内に配置されるように、ガラス基板をキャリア基板の接着層上に位置決めする工程、
−注封材料を用いて、少なくとも１つの半導体ウェハ、特に半導体部品を少なくとも１つの切り欠きに埋め込む工程、及び、
−半導体ウェハ、ガラス基板、及び注封材料を含む残りのパッケージから、キャリア基板及び接着フィルムを取り除く工程によって特徴付けられる。
【００２９】
１つの好ましい変形例では、再配線層及びその上の接触要素、特にはんだボールを、少なくとも１つの半導体ウェハ、特に半導体部品との電気的接触を伴ってパッケージに適用できる。
【００３０】
デバイス技術の観点からの好ましい変形例として、本発明による方法に従って好ましくは製造される製造中間製品としての集積半導体ウェハ装置、特に集積半導体部品配置は、以下の特徴：ように特徴付けられる。
−キャリア基板、
−その上に配置された接着フィルム、
−その接着フィルム上に固定された少なくとも１つの半導体ウェハ、特に半導体部品、及び、
−接着フィルムに固定され、間に隔壁を形成する複数の切り欠きを有するガラス基板であって、各切り欠きには、１つ以上の半導体ウェハ、特に半導体部品が注封材料で埋め込まれているガラス基板、によって特徴付けられる。
【００３１】
それから製造できる最終製品として、本発明は、キャリア基板及び接着フィルムを除去した結果として、間に隔壁を形成する複数の切り欠きを有するガラス基板が残っており、それら切り欠きのそれぞれに、１つ以上の半導体ウェハ、特に半導体部品が注封材料で埋め込まれている集積半導体ウェハ装置を提供する。さらに、その装置は、１つ以上の半導体ウェハ、特に半導体部品と電気的に接触する再配線層と、再配線層上の接触要素、特にはんだボールとを備える。
【００３２】
中間製品及び最終製品は、本発明による方法に関連して既に上記されている従来技術の欠点を回避する。従属請求項８及び１１から１７で請求されるさらなる好ましい実施形態は、本発明による装置の特定の特徴及びパラメータに関しており、これらは、不必要な反復を回避するために例示的な実施形態の説明においてより詳細に説明される。
【００３３】
したがって、本発明は様々な実施形態を可能にする。基本原理をさらに解明するために、複数のそのような例示的な実施形態を図面に示し、以下で説明する。
【図面の簡単な説明】
【００３４】
【図１】第１実施形態における、切り欠き及び貫通接点（ＴＧＶ）を有するガラス基板の垂直断面図を示す。
【図２】第２実施形態における、切り欠き及び貫通接点を有するガラス基板の水平断面図を示す。
【図３】第３実施形態における、切り欠き及び貫通接点を有するガラス基板の垂直断面図を示す。
【図４ａ】半導体ウェハ集積のための本発明による方法を実行する際のフローチャート（その１）を示す。
【図４ｂ】半導体ウェハ集積のための本発明による方法を実行する際のフローチャート（その２）を示す。
【図４ｃ】半導体ウェハ集積のための本発明による方法を実行する際のフローチャート（その３）を示す。
【図４ｄ】半導体ウェハ集積のための本発明による方法を実行する際のフローチャート（その４）を示す。
【図４ｅ】半導体ウェハ集積のための本発明による方法を実行する際のフローチャート（その５）を示す。
【図４ｆ】半導体ウェハ集積のための本発明による方法を実行する際のフローチャート（その６）を示す。
【図５ａ】製造中間製品としての集積半導体ウェハ装置の様々な実施形態の垂直断面図（その１）を示す。
【図５ｂ】製造中間製品としての集積半導体ウェハ装置の様々な実施形態の垂直断面図（その２）を示す。
【図５ｃ】製造中間製品としての集積半導体ウェハ装置の様々な実施形態の垂直断面図（その３）を示す。
【図５ｄ】製造中間製品としての集積半導体ウェハ装置の様々な実施形態の垂直断面図（その４）を示す。
【図６ａ】製造中間製品としての集積半導体ウェハ装置の様々なさらなる実施形態の概略垂直断面図（その１）を示す。
【図６ｂ】製造中間製品としての集積半導体ウェハ装置の様々なさらなる実施形態の概略垂直断面図（その２）を示す。
【図６ｃ】製造中間製品としての集積半導体ウェハ装置の様々なさらなる実施形態の概略垂直断面図（その３）を示す。
【図７】集積半導体ウェハ装置の様々なさらなる実施形態の概略部分平面図（その１）を示す。
【図８】集積半導体ウェハ装置の様々なさらなる実施形態の概略部分平面図（その２）を示す。
【図９】集積半導体ウェハ装置の様々なさらなる実施形態の概略部分平面図（その３）を示す。
【発明を実施するための形態】
【００３５】
図１は、本発明によるガラス基板１の最も重要な特徴を、すべての実施形態を代表する方法で示している。厚さＤを有するガラス基板１には、距離ｂを隔てて複数の切り欠き２が設けられている。貫通穴４、いわゆる「ガラス貫通穴」（ＴＧＶと略される）は、切り欠き２を取り囲むガラス基板１の隔壁３に作られ、メタライゼーション５が通例の方法でその貫通穴に導入される。ガラス基板１は、少なくとも実質的に無アルカリガラス、特にアルミノホウケイ酸ガラス又はホウケイ酸ガラスからなる。
【００３６】
図２は、同様のガラス基板１の平面図を示し、これは、平面図において長方形の切り欠き２を有する。隔壁３の領域において、図２の左側に示す切り欠き２の両側に、それの狭い側面６、７から距離をもって隣接する貫通穴４が導入される。さらに、そのような貫通穴４は、図２の右側に示す切り欠き２の下に平行な２列となっている。
【００３７】
切り欠き２は、図１に示すように、途切れない貫通開口としてだけでなく、止まり穴としても具体化することができる。
【００３８】
図３によるガラス基板１の実施形態では、中間隔壁３を有する切り欠き２が再び導入されている。しかし、この場合、切り欠き２の対向する側壁面８は、図１による実施形態とは異なり、ガラス基板１の主平面に対して垂直に配置されておらず、側壁面８は、ガラス基板１に対する表面法線Ｆに対して、最大１０°、特に最大８°、又は５°であり得るフランク角ａをとるという事実により、むしろ図３に関して上向きにＶ字形に開いている。側壁面８は必ずしも平面である必要はなく、反対側の側壁面８とで砂時計形（くびれた形）のコースを形成することもできる。
【００３９】
図１及び３によるガラス基板１の場合のさらなる幾何学的比率は、それぞれ以下のように示される。その材料厚Ｄは、例えば、＜５００μｍであり、好ましくは＜３００μｍであり、又は、さらにより好ましくは＜１００μｍであり得る。隔壁３の壁厚ｂは、＜５００μｍであり、好ましい段階的変化は、＜３００μｍ、＜２００μｍ、＜１００μｍ、又は＜５０μｍであり、好ましくは、ガラス基板１の材料厚Ｄよりも薄い。したがって、ガラス基板１の２つの切り欠き２の間の最大残存壁厚ｂと、その材料厚Ｄとの比ｂ／Ｄは、＜１：１であり、好ましくは＜２：３、＜１：３、又は＜１：６であり得る。
【００４０】
ガラス基板１の切り欠き２のサイズは、原則として、側壁面８から可能な限り短い距離で半導体部品９を受け入れることができるように選択される。切り欠き２の位置は、それらが集積半導体部品配置（いわゆる「チップパッケージ」又は「ファンアウトパッケージ」）における半導体部品９の望ましい後の配置に対応するように選択される。
【００４１】
次に、図４ａ〜図４ｆは、本発明によるガラス基板１がチップパッケージの製造において、どのように使用されるかを概略的に示している。図４ａは、初期状態として、接着フィルム１１が設けられたキャリア基板１０を示しており、接着フィルム１１の上には半導体部品９が配置されている。図４ｂでは、先に用意されたガラス基板１が接着フィルム１１上に配置されている。ここで、隔壁３の側壁面８とそれらに対向する半導体部品９の側面との間の上記した短い距離は、＜３０μｍであり、好ましくは＜２０μｍ、＜１０μｍ、又は＜５μｍである。
【００４２】
続いて、工程ｃ）において、半導体部品９をガラス基板１内のそれらの位置に固定するために、注封材料１２が切り欠き２に注封される。工程ｄ）では、キャリア基板１０とともに接着フィルム１１が分離される。したがって、ガラス基板１、そのガラス基板に導入されたメタライゼーション５を有する貫通穴４、及び注封材料１２に埋め込まれた半導体部品９のコンパクトなユニットとなる。続いて、工程ｅ）で、電子部品９が露出しているユニットの側面（これは、ユニットを反転した後の図４ｅの上側である。）に、再配線層１３（いわゆる「ＲＤＬ」）が塗布される。最後に、図４ｆで認識できるように、半導体部品に接触するためのはんだボール１４が、再配線層１３の対応する接点（図示せず）に塗布される。
【００４３】
図５は、図４の工程ｃ）までそれぞれ処理された集積半導体部品配置の様々な実施形態を示す。キャリア基板１０、接着フィルム１１、及び、ガラス基板１（注封材料１２によって対応する切り欠き２に固定された１つ以上の半導体部品９を含む）を備える製造中間製品がこのように実装されている。図５ａは単一の半導体部品９を含むガラス基板１を示し、図５ｂは複数の半導体部品９を含むガラス基板１を示す。図５ｃでは、メタライゼーション５で部分的に満たされた複数の貫通穴４が、切り欠き２に関して縁領域に生成されている。
【００４４】
図５ｄは、透明な注封材料１２の使用を示し、それにより、透過性ガラス基板１を介した半導体部品９間の光データ通信１５を可能にする。
【００４５】
図６ａで示されている実施形態では、ガラス基板１の切り欠き２は非常に狭くカットされており、半導体部品９は実質的に隔壁３と直接接触し、キャリア基板１０上でこの平面におけるその位置に予め固定される。
【００４６】
図６ｂは、図３に示される構成を取り、ガラス基板の側壁面８は、フランク角で傾斜している。この場合、切り欠き２の開いた底面は、半導体部品９がそのベース領域で傾斜した側壁面８の下縁に当接し、部品位置の事前固定がそれ故同様に生じるような寸法に設定されている。
【００４７】
図６ｃに示す実施形態においても、２つの対向する側壁面８にそれぞれ、その高さのおおよそ半分の位置にＶ字形突起１６が設けられ、半導体部品９がそれら突起に当接するという事実により、同じ効果が達成される。
【００４８】
ガラス基板１のそれぞれの切り欠き２に半導体部品９をきつく取り付ける過程で、部品９の傾斜／ジャミングを相殺するために、図７〜９に示すように、それぞれの切り欠き２の角領域に、ガラス基板１内にある部品９の角のために凹部１７を形成することができる。
【００４９】
図８による実施形態では、側壁面８から突出する止め部１８が、ガラス基板１にさらに配置され、これにより、切り欠き２への半導体部品９の位置固定において、いわゆる「重複決定」を回避する。
【００５０】
図９による最後の実施形態では、最後に、各止め部１８の反対側にあるガラス基板１の側壁面８の２つのばね要素１９によって、半導体部品９の事前固定が最終的にまた、さらに最適化される。しかし、構造要素である凹部１７、止め部１８、及びばね要素１９はまた、単独で、その都度個別に、又は、集積半導体ウェハ装置の異なる切り欠き２における様々な組み合わせで別々に使用することもできることを指摘しておくべきである。
【符号の説明】
【００５１】
１  ガラス基板
２  切り欠き
３  隔壁
４  貫通穴
５  メタライゼーション
６、７  側面
８  側壁面
９  半導体部品
１０  キャリア基板
１１  接着フィルム
１２  注封材料
１３  再配線層
１４  はんだボール
１５  光データ通信
１６  Ｖ字形突起
１７  凹部
１８  止め部
１９  ばね要素
Ｄ  材料厚
Ｆ  表面法線
ａ  フランク角
ｂ  壁厚
【図１】
2021502706.tif 000003
【図２】
2021502706.tif 000004
【図３】
2021502706.tif 000005
【図４ａ】
2021502706.tif 000006
【図４ｂ】
2021502706.tif 000007
【図４ｃ】
2021502706.tif 000008
【図４ｄ】
2021502706.tif 000009
【図４ｅ】
2021502706.tif 000010
【図４ｆ】
2021502706.tif 000011
【図５ａ】
2021502706.tif 000012
【図５ｂ】
2021502706.tif 000013
【図５ｃ】
2021502706.tif 000014
【図５ｄ】
2021502706.tif 000015
【図６ａ】
2021502706.tif 000016
【図６ｂ】
2021502706.tif 000017
【図６ｃ】
2021502706.tif 000018
【図７】
2021502706.tif 000019
【図８】
2021502706.tif 000020
【図９】
2021502706.tif 000021
【国際調査報告】
2021502706.tif 000022
2021502706.tif 000023
2021502706.tif 000024
2021502706.tif 000025
2021502706.tif 000026